(57)【要約】      （修正有）【課題】器体内部に保水部材を収容するので、器体内部に収容することができる液体の量が減少する。【解決手段】フレーム１２０と、フレームの内部に配され、液体を貯留する空洞１３２が形成されている液体貯留部１３０とを備え、液体貯留部は、空洞から、フレームが顔部に装着された場合に顔部に対向するフレームの内側の面まで、気体を透過させるが液体を透過させない気体透過部１３８を有する。液体貯留部は、液体貯留部の外表面がフレームの外表面よりもフレームの内側になるように配される。【選択図】図１
2012137694.tif 000002
【特許請求の範囲】
【請求項１】
フレームと、
前記フレームの内部に配され、液体を貯留する空洞が形成されている液体貯留部と、
を備え、
前記液体貯留部は、前記空洞から、前記フレームが顔部に装着された場合に前記顔部に対向する前記フレームの内側の面まで、気体を透過させるが液体を透過させない気体透過部を有する、
アイウエア。
【請求項２】
前記液体貯留部は、前記液体貯留部の外表面が前記フレームの外表面よりも前記フレームの内側になるように配される、
請求項１に記載のアイウエア。
【請求項３】
前記液体貯留部は、前記フレームが顔部に装着された場合に前記顔部に対向する前記液体貯留部の内側の面に、前記空洞から前記液体貯留部の内側の面まで貫通し、気体を透過させるが液体を透過させない通気孔が形成されている、
請求項１または請求項２に記載のアイウエア。
【請求項４】
前記液体貯留部は、前記フレームの智、テンプルまたはイヤーパッドに配され、
前記液体貯留部の内側の面には、前記通気孔が複数形成されており、
前記フレームが顔部に装着された状態において、前記通気孔の最下部と、前記フレームの智、テンプルまたはイヤーパッドのうち、前記液体貯留部が配される部材の最下部との距離は、前記通気孔の最上部と、前記フレームの智、テンプルまたはイヤーパッドのうち、前記液体貯留部が配される部材の最上部との距離よりも大きい、
請求項３に記載のアイウエア。
【請求項５】
前記液体貯留部は、前記フレームに対して着脱可能に配される、
請求項１から請求項４までの何れか一項に記載のアイウエア。
【発明の詳細な説明】
【技術分野】
【０００１】
本発明は、アイウエアに関する。
【背景技術】
【０００２】
花粉症対策用またはドライアイ対策用のメガネとして、器体内部に保水部材を収容した加湿部材をフレームに取り付けたメガネが知られている（例えば、特許文献１〜３を参照。）。
［特許文献］
特許文献１  特開２０００−００５２１５号公報
特許文献２  実用新案登録第３１５２４１２号公報
特許文献３  意匠登録第１０６９２１４号公報
【発明の概要】
【発明が解決しようとする課題】
【０００３】
しかし、器体内部の空間に保水部材が全体的に充填されているので、器体内部に収容することができる液体の量が減少する。
【課題を解決するための手段】
【０００４】
上記課題を解決するために、本発明の第１の態様においては、フレームと、フレームの内部に配され、液体を貯留する空洞が形成されている液体貯留部とを備え、液体貯留部は、空洞から、フレームが顔部に装着された場合に顔部に対向するフレームの内側の面まで、気体を透過させるが液体を透過させない気体透過部を有するアイウエアが提供される。
【０００５】
上記のアイウエアにおいて、液体貯留部は、液体貯留部の外表面がフレームの外表面よりもフレームの内側になるように配されてよい。上記のアイウエアにおいて、液体貯留部は、フレームが顔部に装着された場合に顔部に対向する液体貯留部の内側の面に、空洞から液体貯留部の内側の面まで貫通し、気体を透過させるが液体を透過させない通気孔が形成されてよい。
【０００６】
上記のアイウエアにおいて、液体貯留部は、フレームの智、テンプルまたはイヤーパッドに配されてよい。上記のアイウエアにおいて、液体貯留部の内側の面には通気孔が複数形成されてよい。上記のアイウエアにおいて、フレームが顔部に装着された状態において、通気孔の最下部と、フレームの智、テンプルまたはイヤーパッドのうち液体貯留部が配される部材の最下部との距離は、通気孔の最上部と、フレームの智、テンプルまたはイヤーパッドのうち液体貯留部が配される部材の最上部との距離よりも大きくてよい。上記のアイウエアにおいて、液体貯留部は、フレームに対して着脱可能に配されてよい。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】メガネ１００の一例を概略的に示す。
【図２】液体容器１３０の斜視図の一例を概略的に示す。
【図３】液体容器１３０の断面図の一例を概略的に示す。
【図４】メガネ４００の一例を概略的に示す。
【図５】液体容器４３０の斜視図の一例を概略的に示す。
【図６】液体容器４３０の断面図の一例を概略的に示す。
【図７】メガネ７００の一例を概略的に示す。
【図８】液体容器７３０の斜視図の一例を概略的に示す。
【図９】液体容器７３０の断面図の一例を概略的に示す。
【図１０】液体容器１０３０の断面図の一例を概略的に示す。
【図１１】液体容器１１３０の断面図の一例を概略的に示す。
【図１２】メガネ１２００の一例を概略的に示す。
【図１３】メガネ１２００の断面の一例を概略的に示す。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。以下、図面を参照して、実施形態について説明するが、図面の記載において、同一または類似の部分には同一の参照番号を付して重複する説明を省く場合がある。なお、図面は模式的なものであり、厚みと平面寸法との関係、比率等は現実のものとは異なる場合がある。また、説明の都合上、図面相互間においても互いの寸法の関係又は比率が異なる部分が含まれる場合がある。
【００１０】
図１は、メガネ１００の一例を概略的に示す。メガネ１００は、一対のレンズ１１０と、フレーム１２０と、液体容器１３０とを備える。メガネ１００およびフレーム１２０は、アイウエアの一例であってよい。液体容器１３０は、液体貯留部の一例であってよい。本実施形態において、フレーム１２０の一部には開口１４０が形成されており、液体容器１３０は開口１４０に着脱可能に嵌め込まれる。
【００１１】
フレーム１２０は、ノーズパッド１２１と、リム１２２と、ヨロイ１２４と、蝶番１２５と、テンプル１２６と、イヤーパッド１２８とを有してよい。ノーズパッド１２１は、顔部に対してフレーム１２０を位置決めする。リム１２２は、レンズ１１０を保持する。リム１２２は、レンズ１１０の周囲から装着者方向に伸びるフード部材を有してよい。これにより、液体容器１３０から蒸発した気体の拡散を抑制することができる。ヨロイ１２４は、リム１２２の端部に配され、蝶番１２５を介してテンプル１２６と結合する。一対のテンプル１２６は、装着者の頭部を挟み込む。イヤーパッド１２８は、テンプル１２６の少なくとも一部を覆う。
【００１２】
液体容器１３０は、液体を貯留する。液体容器１３０の内部には、液体を貯留できる空洞１３２が形成されている。空洞１３２の内面は撥水処理が施されていてもよい。空洞１３２の内面は抗菌処理が施されていてもよい。
【００１３】
液体容器１３０は、フレーム１２０に対して着脱可能に配されてよい。液体容器１３０は、フレーム１２０のノーズパッド１２１、リム１２２、ヨロイ１２４、テンプル１２６およびイヤーパッド１２８の少なくとも１つの部材に配されてよい。
【００１４】
液体容器１３０は、少なくとも一部がフレーム１２０の内部に配されてよい。また、液体容器１３０は、液体容器１３０の外表面がフレーム１２０の外表面よりもフレーム１２０の内側になるように配されてもよい。例えば、フレーム１２０が顔部に装着された場合に上側になる面を上面とした場合に、液体容器１３０の上面がフレーム１２０の上面よりも下側に配され、液体容器１３０の底面がフレーム１２０の底面よりも上側に配される。これにより、液体容器１３０の破損を防止することができる。
【００１５】
本実施形態において、液体容器１３０は、液体容器１３０が配されたフレーム１２０が顔部に装着された場合に顔部に対向する側（フレーム１２０の内側と称する場合がある。）に配されることになる側面１３４と、側面１３４に対向して配される側面１３６とを有する。側面１３４および側面１３６は、フレーム１２０の側面に沿った形状を有してよい。側面１３４および側面１３６は、フレーム１２０の側面よりもフレーム１２０の内側に配されてもよい。
【００１６】
液体容器１３０の側面１３４には、空洞１３２から側面１３４まで貫通し、気体を透過させるが液体を透過させない通気孔１３８が形成されている。通気孔１３８は、空洞１３２に貯留されている液体が気化して発生する気体を、空洞１３２からフレーム１２０の内側の面まで透過させる。通気孔１３８は、空洞１３２からフレーム１２０の内側の面まで液体を透過させない。通気孔１３８は、空洞１３２からフレーム１２０の内側の面まで気体を透過させるが液体を透過させない気体透過部の一例であってよい。
【００１７】
これにより、通気孔１３８から液体が漏出することを抑制できる。例えば、通気孔１３８が、フェルト、紙、海綿、スポンジ、吸水性ポリマー、ハイドロゲルのような保水性または吸水性を有する材料で覆われていない場合であっても、通気孔１３８から液体が漏出することを抑制できる。また、液体容器の内部に全体的に保水性または吸水性を有する材料が充填されている場合と比較して、より多くの液体を貯留することができる。さらに、液体容器１３０の内部に、多量の保水性または吸水性を有する材料が充填されていない場合であっても、通気孔１３８から液体が漏出することを抑制できるので、メガネ１００を衛生的に使用することもできる。
【００１８】
通気孔１３８の形状は、空洞１３２からフレーム１２０の内側の面まで水蒸気を透過させるが、純水または水道水を透過させないように決定されてよい。通気孔１３８の形状としては、通気孔１３８の断面形状、断面の大きさ、および、空洞１３２側の面からフレーム１２０の内側の面までの通気孔１３８の距離を例示することができる。通気孔１３８が水蒸気を透過させるか否かは、ＪＩＳ  Ｚ０２０８で定められた透湿度試験方法（カップ法）またはＪＩＳ  Ｋ７１２９で定められた透湿度試験方法（Ｌｙｓｓｙ法など）により、試験片を通過する水蒸気の量を測定することで決定してよい。試験片に通気孔１３８を設けた場合の水蒸気透過量が、試験片に通気孔１３８を設けなかった場合の水蒸気透過量よりも大きい場合に、通気孔１３８が水蒸気を透過させると判断してよい。
【００１９】
通気孔１３８が純水または水道水を透過させるか否かは、通気孔１３８の空洞１３２側の開口と、通気孔１３８のフレーム１２０の内側の面側の開口との間に、９．８０６Ｐａ以下の圧力差を設けた状態で１０分間静置した場合に、純水または水道水が通気孔１３８を透過するか否かにより判断してよい。純水または水道水が通気孔１３８を透過したか否かは、目視により液体の水の漏出を確認することにより決定してよい。好ましくは、上記の圧力差が９．８０６Ｐａより大きく４９．０３Ｐａ以下であることが好ましく、より好ましくは、上記の圧力差が４９．０３Ｐａより大きく９８．０６Ｐａ以下であることが好ましく、さらに好ましくは、上記の圧力差が９８．０６Ｐａより大きく２９４．１８Ｐａ以下であることが好ましい。
【００２０】
通気孔１３８の断面形状が円形である場合、通気孔１３８の直径は０．１ｍｍ以上１．５ｍｍ以下、好ましくは０．３ｍｍ以上１．２ｍｍ以下、より好ましくは０．５ｍｍ以上１ｍｍ以下であってよい。通気孔１３８の断面形状が楕円形である場合、通気孔１３８の長径は０．１ｍｍ以上１．７ｍｍ以下、好ましくは０．５ｍｍ以上１．４ｍｍ以下、より好ましくは０．７ｍｍ以上１．２ｍｍ以下であってよい。空洞１３２側の面からフレーム１２０の内側の面までの通気孔１３８の距離は、０．１ｍｍ以上１．５ｍｍ以下、好ましくは０．３ｍｍ以上１．２ｍｍ以下、より好ましくは０．５ｍｍ以上１ｍｍ以下であってよい。
【００２１】
液体容器１３０の側面１３４には、複数の通気孔１３８が形成されていてよい。側面１３４のフレーム１２０の内側の面に設けられた複数の通気孔１３８の開口の面積を合計した値は、０．０１８ｃｍ２以上、好ましくは０．０２７ｃｍ２以上、さらに好ましくは０．０４４ｃｍ２以上であってよい。これにより、空洞１３２に貯留された液体を十分に蒸散させることができる。複数の通気孔１３８の開口の面積を合計した値が０．０１８ｃｍ２より小さい場合には、装着者の目の周辺の空気を迅速に加湿することが難しい。
【００２２】
複数の通気孔１３８の体積を合計した値は、空洞１３２の体積より小さくてよい。ここで、空洞１３２の内部に充填材が配される場合には、空洞１３２の内部で充填材が占めている部分の体積は、空洞１３２の体積に含まれない。充填材としては、フェルト、紙、海綿、スポンジ、吸水性ポリマー、ハイドロゲルなどの保水性または吸水性を有する材料を例示することができる。
【００２３】
フレーム１２０が顔部に装着された状態において、複数の通気孔１３８の最下部と、液体容器１３０が配されるフレーム１２０の部材の最下部との距離は、複数の通気孔１３８の最上部と、液体容器１３０が配されるフレーム１２０の部材の最上部との距離よりも大きくてよい。これにより、通気孔１３８の大きさを大きくした場合であっても、液体容器１３０が傾いた場合に液体が漏出することを抑制できる。
【００２４】
通気孔１３８は、液体容器１３０が配されたフレーム１２０が顔部に装着された場合に水面となる位置よりも上側の位置に配されてもよい。なお、通気孔１３８の大きさが十分小さい場合には、液体容器１３０が配されたフレーム１２０が顔部に装着された場合に水面となる位置よりも下側の位置に、通気孔１３８が配されてもよい。
【００２５】
以上の構成により、空洞１３２に貯留された液体が気化して発生した気体が、通気孔１３８を透過してフレーム１２０の内側に供給される。また、通気孔１３８は空洞１３２に貯留された液体を透過させないので、装着者の顔部に液体が飛散することを抑制できる。
【００２６】
本実施形態において、アイウエアが、メガネ１００である場合について説明した。しかし、アイウエアはこれに限定されない。アイウエアは、目に関連する装具であればよく、メガネ、サングラス、ゴーグル、ヘッドマウントディスプレイなどの顔面装着具または頭部装着具であってよい。アイウエアは、顔面装着具または頭部装着具のフレームまたは当該フレームの一部であってもよい。
【００２７】
本実施形態において、液体貯留部が、フレーム１２０の開口１４０に着脱可能に配される液体容器１３０である場合について説明した。しかし、液体貯留部はこれに限定されない。液体貯留部は、フレーム１２０に形成された凹部に配されてもよい。液体貯留部は、内部に空洞が形成されたフレームの一部であってもよい。液体貯留部は、内部に空洞が形成されたノーズパッド、リム、ヨロイ、テンプルまたはイヤーパッドであってよい。
【００２８】
本実施形態において、気体透過部が、通気孔１３８である場合について説明した。しかし、気体透過部はこれに限定されない。気体透過部は、気体を透過させるが液体を透過させない有機高分子膜または無機多孔質膜を有してもよい。気体透過部は、水蒸気を透過させるが純水または水道水を透過させない有機高分子膜または無機多孔質膜を有してよい。気体透過部は、シリコーンゴムであってよい。
【００２９】
これにより、通気孔１３８から液体が漏出することを抑制できる。例えば、通気孔１３８が保水性または吸水性を有する材料で覆われていない場合であっても、通気孔１３８から液体が漏出することを抑制できる。この場合、より多くの液体を貯留することができる。メガネ１００を衛生的に使用することもできる。
【００３０】
本実施形態において、空洞１３２の内部に保水性または吸水性を有する材料が配されない場合について説明した。しかし、メガネ１００はこれに限定されない。フェルト、紙、海綿、スポンジ、吸水性ポリマー、ハイドロゲルなどの保水性または吸水性を有する材料が気体透過部の一部を構成してよい。空洞１３２の内部に、保水性または吸水性を有する材料が配されてよい。これにより、通気孔１３８の大きさが大きい場合であっても、空洞１３２から液体が漏出することを抑制できる。なお、この場合、保水性または吸水性を有する材料の上端は、空洞部に貯留される液体の液面よりも上方に配されることが好ましい。
【００３１】
保水性または吸水性を有する材料が空洞１３２の内部に配される場合には、空洞１３２の内部で保水性または吸水性を有する材料が占める体積は、空洞１３２の内部に保水性または吸水性を有する材料が配されない状態における空洞１３２の体積の半分より小さくてよい。これにより、空洞１３２により多くの液体を貯留することができる。
【００３２】
図２は、液体容器１３０の斜視図の一例を概略的に示す。図３は、液体容器１３０の断面図の一例を概略的に示す。図３は、図２において、液体容器１３０を側面１３４に垂直な面で切断した場合の断面を、図中、左側から見た場合の一例を概略的に示す。図２および図３は、液体容器１３０が配されたフレーム１２０が顔部に装着された場合に上方となる側が、図中、上側になるよう作図されている。図２および図３を用いて、液体容器１３０について説明する。
【００３３】
本実施形態において、液体容器１３０は、フレーム１２０のヨロイ１２４に形成された開口１４０に配される。液体容器１３０の側面１３４には、複数の通気孔１３８が形成されている。通気孔１３８は、側面１３４を貫通し、空洞１３２と液体容器１３０の外部とを連通する。複数の通気孔１３８の最下部と、ヨロイ１２４の最下部との距離は、複数の通気孔１３８の最上部と、ヨロイ１２４の最上部との距離より大きくてよい。液体容器１３０の上部には開口が形成されており、空洞１３２が外部に開放されている。側面１３６の形状は、ヨロイ１２４の形状に合わせて形成されてよい。側面１３６は、側面１３４と平行に配されていなくてもよい。
【００３４】
本実施形態において、液体容器１３０の上部には開口が形成されており、空洞１３２が外部に開放されている場合について説明した。しかし、液体容器１３０はこれに限定されない。液体容器１３０の上部に形成された開口を塞ぐ蓋部が設けられてもよい。蓋部の材質は、天然ゴム、合成ゴム、シリコーンゴムなどのエラストマーであってよい。この場合、蓋部が弾性を有するので、液体容器１３０がフレーム１２０の開口１４０に配置されたときに、開口１４０および液体容器１３０の間に配された蓋部が両者を押圧して、開口１４０から液体容器１３０が脱落することを抑制できる。
【００３５】
図４は、メガネ４００の一例を概略的に示す。図５は、液体容器４３０の斜視図の一例を概略的に示す。図６は、液体容器４３０の断面図の一例を概略的に示す。図６は、図５において、側面１３４に垂直で、図中の上下方向に平行な面で、液体容器４３０を切断した場合の断面を、図中の左側から見た場合の一例を概略的に示す。図４、図５および図６は、液体容器４３０が配されたフレーム４２０が顔部に装着された場合に上方となる側が、図中、上側になるよう作図されている。
【００３６】
図４、図５および図６を用いて、メガネ４００について説明する。メガネ４００は、一対のレンズ１１０と、フレーム４２０と、液体容器４３０とを備える。メガネ４００およびフレーム４２０は、アイウエアの一例であってよい。液体容器４３０は、液体貯留部の一例であってよい。なお、メガネ１００の各部と同様の構成を有する部材には同一の符号を付して、説明を省略する場合がある。
【００３７】
フレーム４２０は、ノーズパッド１２１と、リム１２２と、ヨロイ４２４と、蝶番１２５と、テンプル１２６と、イヤーパッド１２８とを有してよい。フレーム４２０は、フレーム１２０と同様の構成を有してよく、フレーム１２０と同様の構成については説明を省略する場合がある。液体容器４３０の内部には、液体を貯留できる空洞４３２が形成されている。液体容器４３０は、フレーム４２０に着脱可能に配されてよい。液体容器４３０は、液体容器１３０と同様の構成を有してよく、液体容器１３０と同様の構成については説明を省略する場合がある。
【００３８】
メガネ４００は、ヨロイ４２４および液体容器４３０の形状が異なる点で、メガネ１００と相違する。ヨロイ４２４および液体容器４３０においては、液体容器４３０の側面１３６が、空洞４３２の外側に向けて凸に形成されている。これにより、液体容器１３０と比較して、より多くの液体を貯留することができる。
【００３９】
図７は、メガネ７００の一例を概略的に示す。図８は、液体容器７３０の斜視図の一例を概略的に示す。図９は、液体容器７３０の断面図の一例を概略的に示す。図９は、図８において、側面１３４に垂直で、図中の上下方向に平行な面で、液体容器７３０を切断した場合の断面を、図中、左側から見た場合の一例を概略的に示す。図７、図８および図９は、液体容器７３０が配されたフレーム７２０が顔部に装着された場合に上方となる側が、図中、上側になるよう作図されている。
【００４０】
図７、図８および図９を用いて、メガネ７００について説明する。メガネ７００は、一対のレンズ１１０と、フレーム７２０と、液体容器７３０とを備える。メガネ７００およびフレーム７２０は、アイウエアの一例であってよい。液体容器７３０は、液体貯留部の一例であってよい。なお、メガネ１００の各部と同様の構成を有する部材には同一の符号を付して、説明を省略する場合がある。
【００４１】
フレーム７２０は、ノーズパッド１２１と、リム１２２と、ヨロイ７２４と、蝶番１２５と、テンプル７２６とを有してよい。フレーム７２０は、フレーム１２０と同様の構成を有してよく、フレーム１２０と同様の構成については説明を省略する場合がある。液体容器７３０の内部には、液体を貯留できる空洞７３２が形成されている。液体容器７３０は、フレーム７２０に着脱可能に配されてよい。液体容器７３０は、液体容器１３０と同様の構成を有してよく、液体容器１３０と同様の構成については説明を省略する場合がある。
【００４２】
メガネ７００は、ヨロイ７２４および液体容器７３０の形状が異なる点で、メガネ１００と相違する。ヨロイ７２４および液体容器７３０においては、液体容器７３０の側面１３６が、側面１３４に対して略平行に配されている。これにより、液体容器１３０と比較して、より多くの液体を貯留することができる。
【００４３】
図１０は、液体容器１０３０の断面図の一例を概略的に示す。図１０は、液体容器１０３０が配されたフレーム１２０が顔部に装着された場合に上方となる側が、図中、上側になるよう作図されている。液体容器１０３０は、フレーム１２０に着脱可能に配されてよい。液体容器１０３０は、液体容器１３０と同様の構成を有してよく、液体容器１３０と同様の構成については説明を省略する場合がある。液体容器１０３０は液体貯留部の一例であってよい。
【００４４】
液体容器１０３０の内部には、液体を貯留できる空洞１０３２が形成されている。液体容器１０３０は、液体容器１０３０が配されたフレーム１２０が顔部に装着された場合に、フレーム１２０の内側に配されることになる側面１０３４と、側面１０３４に対向して配される側面１０３６とを有する。
【００４５】
液体容器１０３０は、側面１０３４に開口１０４０を有する点で液体容器１３０と相違する。液体容器１０３０は、開口１０４０を塞ぐ蓋部１０５０を有する点で液体容器１３０と相違する。蓋部１０５０には、蓋部１０５０を貫通し、気体を透過させるが液体を透過させない通気孔１０５８が形成されている。蓋部１０５０および通気孔１０５８は気体透過部の一例であってよい。その他の点について、空洞１０３２、側面１０３４、側面１０３６および通気孔１０５８は、液体容器１３０の空洞１３２、側面１３４、側面１３６および通気孔１３８と同様の構成を有してよい。なお、液体容器１３０の各部と同様の構成については説明を省略する。
【００４６】
開口１０４０は、側面１０３４を貫通して、空洞１０３２と液体容器１０３０の外部とを連通する。これにより、開口１０４０から空洞１０３２に液体を流入させることができる。蓋部１０５０は、開口１０４０を塞ぐ。これにより、開口１０４０からの液体の漏出を抑制することができる。蓋部１０５０の材質は、天然ゴム、合成ゴム、シリコーンゴムなどのエラストマーであってよい。
【００４７】
なお、図１０においては、説明を簡単にする目的で、蓋部１０５０と開口１０４０の壁面との間に隙間があるように作図されている。しかし、蓋部１０５０および開口１０４０の形状は任意に設計してよい。
【００４８】
本実施形態において、蓋部１０５０に通気孔１０５８が形成されている場合について説明した。しかし、蓋部１０５０はこれに限定されない。蓋部１０５０は、気体を透過させるが液体を透過させない有機高分子膜または無機多孔質膜を有してもよい。また、本実施形態において、蓋部１０５０がエラストマーである場合について説明した。しかし、蓋部１０５０はこれに限定されない。液体容器１０３０が配されたフレーム１２０が顔部に装着された場合に水面となる位置よりも上側の位置に、蓋部１０５０が配されるような場合には、蓋部１０５０は、フェルト、紙、海綿、スポンジ、吸水性ポリマー、ハイドロゲルなどの保水性または吸水性を有する材料であってもよい。
【００４９】
図１１は、液体容器１１３０の断面図の一例を概略的に示す。図１０は、液体容器１１３０が配されたフレーム１２０が顔部に装着された場合に上方となる側が、図中、上側になるよう作図されている。液体容器１１３０は、フレーム１２０に着脱可能に配されてよい。液体容器１０３０は、液体容器１３０と同様の構成を有してよく、液体容器１３０と同様の構成については説明を省略する場合がある。液体容器１１３０は液体貯留部の一例であってよい。
【００５０】
液体容器１１３０の内部には、液体を貯留できる空洞１１３２が形成されている。液体容器１１３０は、液体容器１１３０が配されたフレーム１２０が顔部に装着された場合に、フレーム１２０の内側に配されることになる側面１１３４と、側面１１３４に対向して配される側面１１３６とを有する。
【００５１】
液体容器１１３０は、側面１１３４に開口１１４０を有する。開口１１４０は、側面１１３４を貫通して、空洞１１３２と液体容器１１３０の外部とを連通する。液体容器１１３０は、開口１１４０を塞ぐ保水部１１５０を有する点で液体容器１３０および液体容器１０３０と相違する。液体容器１１３０の上部には開口が形成されており、当該開口を塞ぐ蓋部１１６０を有する点で、液体容器１３０および液体容器１０３０と相違する。その他の点について、空洞１１３２、側面１１３４および側面１１３６は、液体容器１３０の空洞１３２、側面１３４および側面１３６と同様の構成を有してよい。
【００５２】
保水部１１５０は、開口１１４０を塞ぐ。保水部１１５０は、フェルト、紙、海綿、スポンジ、吸水性ポリマー、ハイドロゲルなどの保水性または吸水性を有する材料を含んでよい。開口１１４０の大きさが大きく、開口１１４０単独では空洞１１３２から液体が漏出する場合であっても、保水部１１５０を設けることにより、空洞１１３２から液体が漏出することをある程度抑制できる。
【００５３】
保水部１１５０は、側面１１３４のフレーム１２０の内側の面とは反対側の面に配されてよい。これにより、保水部１１５０が装着者の顔部に接触することを抑制できる。保水部１１５０の上端は、空洞１１３２に貯留される液体の液面よりも上方に配されてよい。これにより、保水部１１５０の一部に気体を透過させる領域が形成される。また、開口１１４０からの液体の漏出を抑制することができる。
【００５４】
空洞１１３２の内部で保水部１１５０が占める体積は、空洞１１３２の内部に保水部１１５０が配されない状態における空洞１１３２の体積の半分より小さくてよい。これにより、空洞１１３２の内部に、より多くの液体を貯留することができる。また、保水部１１５０が空洞１１３２の内部に全体的に配される場合として、保水部１１５０が乾燥しやすい。その結果、アイウエアを衛生的に使用することができる。開口１１４０および保水部１１５０は、気体透過部の一部を構成してよい。
【００５５】
なお、図１１においては、説明を簡単にする目的で、蓋部１１６０と側面１１３４および側面１１３６との間に隙間があるように作図されている。しかし、蓋部１１６０、側面１１３４および側面１１３６の形状は任意に設計してよい。
【００５６】
図１２は、メガネ１２００の一例を概略的に示す。図１３は、メガネ１２００の断面図の一例を概略的に示す。図１３は、図１２において、側面１２３４に垂直で、図中の上下方向に平行な面で、フレーム１２２０を切断した場合の断面を、図中の左側から見た場合の一例を概略的に示す。図１２および図１３を用いて、メガネ１２００について説明する。
【００５７】
メガネ１２００は、一対のレンズ１１０と、フレーム１２２０とを備える。メガネ１２００およびフレーム１２２０は、アイウエアの一例であってよい。フレーム１２２０は、ノーズパッド１２１と、リム１２２と、ヨロイ１２２４と、蝶番１２５と、テンプル１２２６と、イヤーパッド１２２８とを有してよい。
【００５８】
メガネ１２００は、ヨロイ１２２４に開口が形成されていない点で、メガネ１００と相違する。メガネ１２００は、テンプル１２２６の内部に空洞１２３２が形成されている点で、メガネ１００と相違する。メガネ１００と同様の構成を有する部材には同一の符号を付して、説明を省略する場合がある。
【００５９】
一対のテンプル１２２６は、装着者の頭部を挟み込む。テンプル１２２６は液体貯留部の一例であってよい。少なくとも一方のテンプル１２２６の内部には、液体を貯留できる空洞１２３２が形成されている。空洞１２３２の内面は撥水処理が施されていてもよい。空洞１２３２の内面は抗菌処理が施されていてもよい。
【００６０】
テンプル１２２６は、フレーム１２２０が顔部に装着された場合に顔部に対向する側（フレーム１２２０の内側と称する場合がある。）の側面１２３４と、側面１２３４に対向して配される側面１２３６とを有する。側面１２３６には、凹部１２６７が形成されている。凹部１２６７には、空洞１２３２から側面１２３４まで貫通し、気体を透過させるが液体を透過させない通気孔１２６８が形成されている。通気孔１２６８は、気体透過部の一例であってよい。通気孔１２６８は、通気孔１３８と同様の構成を有してよい。
【００６１】
イヤーパッド１２２８は、テンプル１２２６の少なくとも一部を覆う。本実施形態において、イヤーパッド１２２８は、テンプル１２２６の内部の空洞１２３２とテンプル１２２６の外部とを連通する開口を覆ってよい。イヤーパッド１２２８は、当該開口にはめ込まれてもよい。イヤーパッド１２２８はテンプル１２２６に対して着脱可能に配されてよい。これにより、イヤーパッド１２２８をはずして、テンプル１２２６の内部の空洞１２３２に液体を供給することができる。
【００６２】
以上の構成により、空洞１２３２に貯留された液体が気化して発生した気体が、通気孔１２６８を透過してフレーム１２０の内側に供給される。また、通気孔１２６８は空洞１２３２に貯留された液体を透過させないので、装着者の顔部に液体が飛散することを抑制できる。
【００６３】
本実施形態において、空洞１２３２が、テンプル１２２６の内部に形成される場合について説明した。しかし、液体貯留部はこれに限定されない。空洞が、ノーズパッド、リム、ヨロイまたはイヤーパッドの内部に形成されてもよい。
【００６４】
本実施形態において、気体透過部が、通気孔１２６８である場合について説明した。しかし、気体透過部はこれに限定されない。気体透過部は、気体を透過させるが液体を透過させない有機高分子膜または無機多孔質膜を有してもよい。気体透過部は、水蒸気を透過させるが純水または水道水を透過させない有機高分子膜または無機多孔質膜を有してよい。気体透過部は、シリコーンゴムであってもよい。
【００６５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６７】
１００  メガネ 
１１０  レンズ 
１２０  フレーム 
１２１  ノーズパッド 
１２２  リム 
１２４  ヨロイ 
１２５  蝶番 
１２６  テンプル 
１２８  イヤーパッド 
１３０  液体容器 
１３２  空洞 
１３４  側面 
１３６  側面 
１３８  通気孔 
１４０  開口 
４００  メガネ
４２０  フレーム
４２４  ヨロイ
４３０  液体容器
４３２  空洞
７００  メガネ
７２０  フレーム
７２４  ヨロイ
７２６  テンプル
７３０  液体容器
７３２  空洞
１０３０  液体容器 
１０３２  空洞 
１０３４  側面 
１０３６  側面 
１０４０  開口 
１０５０  蓋部 
１０５８  通気孔 
１１３０  液体容器 
１１３２  空洞 
１１３４  側面 
１１３６  側面 
１１４０  開口 
１１５０  保水部 
１１６０  蓋部 
１２００  メガネ 
１２２０  フレーム 
１２２４  ヨロイ 
１２２６  テンプル 
１２２８  イヤーパッド 
１２３２  空洞 
１２３４  側面 
１２３６  側面 
１２６７  凹部 
１２６８  通気孔 
【図１】
2012137694.tif 000003
【図２】
2012137694.tif 000004
【図３】
2012137694.tif 000005
【図４】
2012137694.tif 000006
【図５】
2012137694.tif 000007
【図６】
2012137694.tif 000008
【図７】
2012137694.tif 000009
【図８】
2012137694.tif 000010
【図９】
2012137694.tif 000011
【図１０】
2012137694.tif 000012
【図１１】
2012137694.tif 000013
【図１２】
2012137694.tif 000014
【図１３】
2012137694.tif 000015